(57)【要約】【課題】  記録媒体の性能を引き出すと共に、コマンド発行回数を最小限に抑制し、また、記録媒体における無駄な領域の発生を抑制するための記録技術を提供することを目的とする。【解決手段】  撮像手段により連続して撮影した複数の画像を複数のファイルとして記録媒体に記録する場合に、複数の画像の記録を開始する前に、所定のスピードクラスを継続した状態で前記複数のファイルを前記記録媒体の連続した領域に記録可能とするための所定のコマンドを使用せずに、複数のファイルを記録媒体の連続した領域に記録可能とするための所定の処理を実行することを特徴とする。【選択図】  図４
2020036186.tif 000002
【特許請求の範囲】
【請求項１】
撮像手段により撮影した画像を記録媒体に記録するための記録制御手段を有し、
前記記録制御手段は、前記撮像手段により連続して撮影した複数の画像を複数のファイルとして前記記録媒体に記録する場合に、前記複数の画像の記録を開始する前に、所定のコマンドを使用せずに前記複数のファイルを前記記録媒体の連続した領域に記録可能とするための所定の処理を実行することを特徴とする記録制御装置。
【請求項２】
前記記録制御手段は、所定のスピードクラスを継続した状態で前記複数のファイルを前記記録媒体の連続した領域に記録可能とするための前記所定のコマンドを使用せずに、前記所定のスピードクラスを継続した状態で前記複数のファイルを前記記録媒体の連続した領域に記録可能とするための前記所定の処理を実行することを特徴とする請求項１に記載の記録制御装置。
【請求項３】
前記記録媒体はＳＤ規格に準拠したメモリカードであり、
前記所定のスピードクラスは、ビデオスピードクラスであることを特徴とする請求項２に記載の記録制御装置。
【請求項４】
前記所定のスピードクラスは、第１の記録単位を複数含む第２の記録単位でファイルを記録することにより記録速度を保証するスピードクラスであり、
前記所定のスピードクラスにおいて前記所定のコマンドを用いることにより、前記第２の記録単位の途中の前記第１の記録単位から、次のファイルの記録の開始が可能となることを特徴とする請求項２に記載の記録制御装置。
【請求項５】
前記所定のコマンドは、第１のコマンドおよび第２のコマンドであり、
前記記録媒体は、ファイルの記録終了時に前記第１のコマンドを受け付け、次のファイルの記録開始時に前記第２のコマンドを受け付けることにより、複数のファイルを前記記録媒体の連続した領域に記録可能となる記録媒体であることを特徴とする請求項１に記載の記録制御装置。
【請求項６】
前記第１のコマンドは、データ記録済みの次の第１の記録単位の位置を示す位置情報を前記記録媒体に記憶させるためのコマンドであり、前記第２のコマンドは、前記記録媒体内に記憶された前記位置情報を通知することにより当該位置情報で示す第１の記録単位の位置にデータを記録可能とするためのコマンドであることを特徴とする請求項４および５に記載の記録制御装置。
【請求項７】
前記記録媒体は、ＳＤ規格に準拠したメモリカードであり、
前記第１の記録単位はＲＵ（Ｒｅｃｏｒｄｉｎｇ  Ｕｎｉｔ）であり、前記第２の記録単位はＡＵ（Ａｌｌｏｃａｔｉｏｎ  Ｕｎｉｔ）であることを特徴とする請求項４に記載の記録制御装置。
【請求項８】
前記記録媒体は、ＳＤ規格に準拠したメモリカードであり、
前記第１のコマンドはＳｕｓｐｅｎｄ  ＡＵであり、前記第２のコマンドはＲｅｓｕｍｅ  ＡＵであることを特徴とする請求項５に記載の記録装置。
【請求項９】
前記所定の処理は、前記記録媒体にダミーファイルを生成するための処理であることを特徴とする請求項１に記載の記録制御装置。
【請求項１０】
前記記録制御手段は、前記記録媒体の管理領域に前記ダミーファイルのシステム情報を記録し、前記記録媒体のデータ記録領域には前記ダミーファイルのデータを記録しないことを特徴とする請求項９に記載の記録制御装置。
【請求項１１】
前記記録制御手段は、前記複数の画像を前記複数のファイルとして記録完了したことに応じて、前記所定の処理において前記記録媒体に記録した前記ダミーファイルのシステム情報を前記記録媒体から消去することを特徴とする請求項１０に記載の記録制御装置。
【請求項１２】
前記記録制御手段は、
前記所定のスピードクラスを継続した状態で前記記録媒体に記録されるファイルのシステム情報を前記記録媒体内の管理領域内に記録可能にするために、前記システム情報を記録する前記管理領域内の位置を前記記録媒体に登録するための第３のコマンドを前記記録媒体に発行し、
前記所定の処理では、前記複数の画像を複数のファイルとして前記記録媒体に記録開始する前に、前記複数のファイルのシステム情報を記録する管理領域内の位置とは異なる、前記複数のファイルのシステム情報は記録しない位置を登録する前記第３のコマンドを前記記録媒体に発行することを特徴とする請求項２に記載の記録制御装置。
【請求項１３】
前記記録制御手段は、前記所定の処理を実行した後に、前記所定のスピードクラスでの制御を開始するためのコマンドを前記記録媒体に発行することを特徴とする請求項１２に記載の記録制御装置。
【請求項１４】
前記記録制御手段は、前記所定のスピードクラスでの制御を開始するためのコマンドを発行した後に、前記複数のファイルのシステム情報を記録する管理領域内の位置を登録する前記第３のコマンドを前記記録媒体に発行することを特徴とする請求項１３に記載の記録制御装置。
【請求項１５】
前記記録制御手段は、
前記第３のコマンドにより登録された前記管理領域内の位置の登録を解除するための第４のコマンドを発行することが可能であり
前記複数のファイルのシステム情報を記録する管理領域内の位置の登録を解除する前記第４のコマンドは、前記複数のファイルの記録が完了する前にも発行するが、前記複数のファイルのシステム情報を記録しない位置の登録を解除する前記第４のコマンドは、前記複数のファイルの記録が完了する前には発行しないことを特徴とする請求項１２に記載の記録制御装置。
【請求項１６】
撮像手段により撮影した画像を記録媒体に記録するための記録制御装置の制御方法であって、
前記撮像手段により連続して撮影した複数の画像を複数のファイルとして前記記録媒体に記録する場合に、前記複数の画像の記録を開始する前に、所定のコマンドを使用せずに前記複数のファイルを前記記録媒体の連続した領域に記録可能とするための所定の処理を実行することを特徴とする記録制御装置の制御方法。
【請求項１７】
コンピュータを、請求項１ないし１５のいずれか１項に記載の記録装置の各手段として機能させるためのプログラム。
【発明の詳細な説明】
【技術分野】
【０００１】
本発明は、記録制御装置およびその制御方法に関し、特に記録媒体へのデータ記録技術に関する。
【背景技術】
【０００２】
動画、静止画、音声データなどを記録媒体に記録するデジタルカメラやデジタルビデオカメラなどの記録装置が知られている。また、データは、ＦＡＴ１６、ＦＡＴ３２、ｅｘＦＡＴなどのシステムのようなファイルシステムにより、ファイルとして管理されるのが一般的である。
【０００３】
また、記録媒体によっては書き込み速度の異なる複数の書き込み方法をサポートするものがある。記録装置は、記録するデータの種類やリアルタイム記録の必要性などに応じて書き込み方法を使い分けることができる。例えば、記録媒体の記録領域は複数の領域であるＡＵ（Ａｌｌｏｃａｔｉｏｎ  Ｕｎｉｔ）で管理される。そして、高速な書き込みでは空のＡＵの先頭から連続してデータを記録し、高速書き込みが要求されない場合にはＡＵ内の空き領域にデータを記録する方法がある（非特許文献１）。これは、一部にデータが記録されているＡＵの空き領域に記録する場合、空きのＡＵ（データが全く記録されていないＡＵ）に記録する場合よりも時間がかかるという記録媒体の特性を考慮したものである。
【０００４】
つまり記録装置が、ＡＵを記録単位として記録媒体に対して書き込み命令を行うことで、その記録媒体の最高スピードを引き出すことができる。この特性を応用してスピードクラスという概念が提案された。これはＡＵの特性を利用して、空きＡＵを探してその場所に新たにＡＵを分割したＲＵ（Ｒｅｃｏｒｄｉｎｇ  ｕｎｉｔ）という記録単位で書き込むことを記録装置側の制約とすることで記録媒体が記録装置に対して最低スピード保証を実現するという概念である。これにより例えば動画記録のようなリアルタイム記録を行うデータ記録制御が可能になる。
【０００５】
またこのスピードクラスの上位概念としてビデオスピードクラスが提案された。このビデオスピードクラスは記録装置に更なる制約を持たせることで、さらに高速な性能保証を実現するという概念である。具体的にはＡＵサイズの最大サイズが従来の８倍の５１２ＭＢになる。そして、Ｓｅｔ  Ｆｒｅｅ  ＡＵと呼ばれる新たなコマンドが定義され、使用予定ＡＵをあらかじめ記録装置が記録媒体に宣言することやＳｕｓｐｅｎｄ  ＡＵ、Ｒｅｓｕｍｅ  ＡＵと呼ばれるＡＵ中ＲＵを保持する場合に使用しなければならないことが追加になった。しかしながらこれらの制約を記録装置が遵守した場合、従来のスピードクラスの３倍のデータ量に対してスピード保証が可能になる。
【０００６】
さらにビデオスピードクラスでは、マルチストリーム書き込みという概念も合わせて導入された。従来のスピードクラスではシングルストリームデータ記録でしかスピード保証対象にできなかった。しかし今回のビデオスピードクラスでは１つの記録媒体に複数のファイルを同時に記録した場合でもタイムシェアリング形式ではあるが、記録保証対象とするという概念である。
【先行技術文献】
【非特許文献】
【０００７】
【非特許文献１】“ＳＤ  Ｓｐｅｃｉｆｉｃａｔｉｏｎｓ  Ｐａｒｔ  １，Ｐｈｙｓｉｃａｌ  Ｌａｙｅｒ，  Ｓｉｍｐｌｉｆｉｅｄ  Ｓｐｅｃｉｆｉｃａｔｉｏｎ，  Ｖｅｒｓｉｏｎ  ５．００”，  Ｔｅｃｈｎｉｃａｌ  Ｃｏｍｍｉｔｔｅｅ，  ＳＤ  Ｃａｒｄ  Ａｓｓｏｃｉａｔｉｏｎ  （ＵＲＬ：ｈｔｔｐｓ：／／ｗｗｗ．ｓｄｃａｒｄ．ｏｒｇ／ｄｏｗｎｌｏａｄｓ／ｐｌｓ／ｃｌｉｃｋ．ｐｈｐ＆ｐ＝ｐａｒｔ１＿５００．ｊｐｇ＆ｆ＝ｐａｒｔ１＿５００．ｐｄｆ＆ｅ＝ＥＮ＿ＳＳ１）
【発明の概要】
【発明が解決しようとする課題】
【０００８】
しかしながら、非特許文献１には、書き込み速度性能向上に関する技術は記載されているが、それを実現するための制約を実行するための処理時間を考慮した全体の処理速度向上についての記述がされていない。
【０００９】
またＡＵ単位で記録するということは本来なら使用できる空き容量が無駄になってしまう可能性があり、この無駄になってしまう空き容量を最小限にすることに対しても記述がない。
【００１０】
本発明はかかる点に鑑みなされたものであり、コマンド発行回数を最小限に抑制し、また、記録媒体における無駄な領域の発生を抑制することが可能な記録技術を提供することを目的とする。
【課題を解決するための手段】
【００１１】
上述の課題を解決するため、例えば本発明の記録制御装置は、
撮像手段により撮影した画像を記録媒体に記録するための記録制御手段を有し、記録制御手段は、撮像手段により連続して撮影した複数の画像を複数のファイルとして記録媒体に記録する場合に、複数の画像の記録を開始する前に、所定のコマンドを使用せずに複数のファイルを記録媒体の連続した領域に記録可能とするための所定の処理を実行することを特徴とする。
【発明の効果】
【００１２】
本発明によれば、記録媒体の性能を引き出しながら、コマンド発行回数を最小限に抑制し、また、記録媒体における無駄な領域の発生を抑制することが可能になる。
【図面の簡単な説明】
【００１３】
【図１】実施形態に係る記録制御装置の一例として撮像装置のブロック図。
【図２】記録媒体２００の論理アドレスマップ。
【図３】複数の画像ファイルを記録する際の記録処理を示す図。
【図４】撮像装置における連写撮影での記録処理のフローチャート。
【発明を実施するための形態】
【００１４】
以下添付図面に従って本発明に係る実施形態を詳細に説明する。
【００１５】
実施形態では、記録制御装置の一例として、レンズ交換可能な一眼レフタイプのデジタルスチルカメラに代表される撮像装置に適用する例を説明する。ただし、記録媒体への記録を行う装置、例えばデジタルビデオカメラや、撮像機能を有するスマートホン等のデバイスにも適用可能である。デジタルスチルカメラに適用するのは、あくまで例示であると理解されたい。また、撮像機能を有する撮像デバイスと通信可能な処理装置において、撮像デバイスで撮影した画像を記録する際に、本発明を適応してもよい。
【００１６】
＜撮像装置の構成＞
図１は、実施形態が適用する撮像装置のブロック構成図である。図示の如く、本装置は、カメラ本体１００と、交換レンズタイプのレンズユニット３００とで構成される。
【００１７】
レンズユニット３００は、複数のレンズから成る撮像レンズ３１０、絞り３１２、レンズユニット３００をカメラ本体１００と機械的に結合するレンズマウント３０６を有する。レンズマウント３０６内には、レンズユニット３００をカメラ本体１００と電気的に接続する各種機能が含まれている。レンズマウント３０６は、レンズユニット３００をカメラ本体１００と接続するためのインターフェース（Ｉ／Ｆ）３２０、レンズユニット３００をカメラ本体１００と電気的に接続するコネクタ３２２を有する。
【００１８】
コネクタ３２２は、カメラ本体１００とレンズユニット３００との間で制御信号、状態信号、データ信号などを伝え合うと共に、各種電圧の電流を供給される機能も備えている。また、コネクタ３２２は電気通信のみならず、光通信、音声通信などを用いて通信を行う構成としてもよい。
【００１９】
また、レンズユニット３００は、絞り制御部３４０、フォーカス制御部３４２、ズーム制御部３４４、レンズシステム制御回路３５０を含む。絞り制御部３４０は、カメラ本体１００の測光制御部４６からの測光情報に基づいて、後述するカメラ本体１００のシッター１２を制御する露光制御部４０と連携しながら、絞り３１２を制御する。フォーカス制御部３４２は、撮像レンズ３１０のフォーカシングを制御する。ズーム制御部３４４は、撮像レンズ３１０のズーミングを制御する。そして、レンズシステム制御回路３５０は、レンズユニット３００全体を制御する。このレンズシステム制御回路３５０は、動作用の定数、変数、プログラムなどを一時的に記憶するメモリ５２を備えている。更に、レンズユニット３００固有の番号などの識別情報、管理情報、開放絞り値や最小絞り値、焦点距離などの機能情報、現在や過去の各設定値、動作用のプログラムなどを保持する不揮発性メモリ５６も備えている。
【００２０】
次に、カメラ本体１００の構成について説明する。カメラ本体１００とレンズユニット３００を機械的に結合するレンズマウント１０６を有する。そして、レンズユニット３００を介して入射した光線はミラー１３０，１３２で反射して光学ファインダー１０４に導かれる。なお、ミラー１３０はクイックリターンミラーの構成としても、ハーフミラーの構成としても、どちらでも構わない。また、カメラ本体１００には、フォーカルプレーン式のシャッター１２、撮像素子１４が設けられ、撮像素子１４の前方には、光学ローパスフィルター等の光学素子１４ａが配置されている。なお、撮像素子１４は、ＣＣＤやＣＭＯＳセンサであり、被写体像を光電変換する。
【００２１】
撮像レンズ３１０に入射した光線は、一眼レフ方式によって光量制限手段として機能する絞り３１２、レンズマウント３０６及び１０６、ミラー１３０、シャッター１２を介して導かれ、光学像として撮像素子１４上に結像される。
【００２２】
Ａ／Ｄ変換器１６は、撮像素子１４から出力されるアナログ信号（出力信号）をデジタル信号に変換する。タイミング発生回路１８は、撮像素子１４、Ａ／Ｄ変換器１６、Ｄ／Ａ変換器２６にそれぞれクロック信号や制御信号を供給するものであり、メモリ制御回路２２及びシステム制御部５０により制御される。
【００２３】
画像処理回路２０は、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御部５０が露光制御部４０、測距制御部４２を制御するための、コントラスト方式のオートフォーカス（ＡＦ）処理、自動露出（ＡＥ）処理、フラッシュプリ発光（ＥＦ）処理を行うことができる。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２４】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００２５】
画像表示メモリ２４に格納された表示用の画像データはＤ／Ａ変換器２６によりアナログ信号に変換され、画像表示部２８に供給され、表示される。画像表示部２８は、例えばＴＦＴ方式のＬＣＤである。この画像表示部２８に撮像した画像データを逐次表示することで、電子ビューファインダー（ＥＶＦ）機能を実現することができる。また、画像表示部２８は、システム制御部５０の指示により任意に表示をＯＮ／ＯＦＦすることが可能であり、表示をＯＦＦにした場合にはカメラ本体１００の電力消費を大幅に低減することができる。
【００２６】
メモリ３０は、撮影した静止画像あるいは動画像を格納するためのメモリであり、所定枚数の静止画像あるいは所定量の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、動画撮影時には、所定レートで連続的に書き込まれる画像のフレームバッファとして使用される。さらに、メモリ３０はシステム制御部５０の作業領域としても使用することが可能である。
【００２７】
画像合成回路３１は複数の画像を合成して１枚の合成写真を生成する。そのため、この画像合成回路３１は、メモリ３０に書き込まれている画像データを複数同時に読み込み、回路内で合成処理を実施し、生成した合成画像データをメモリ３０に書き込む。合成対象は、Ａ／Ｄ変換器１６によって変換されてメモリ制御回路２２によって書き込まれた画像データや、画像処理回路２０によって画像処理された画像データとなる。
【００２８】
圧縮・伸長回路３２は、公知の圧縮手法を用いて画像データの圧縮（符号化）と伸長（復号）を行う。圧縮・伸長回路３２は、メモリ３０に格納された画像を読み込んで圧縮処理、或いは伸長処理を行い、処理を終えたデータを再びメモリ３０に書き込む。また、圧縮・伸長回路３２は、動画像データを所定のフォーマットに圧縮符号化し、又は所定の圧縮符号化データから動画像信号を伸張する機能も有する。
【００２９】
露光制御部４０は、測光制御部４６からの測光情報に基づいて絞り３１２を制御する絞り制御部３４０と連携しながらシャッター１２を制御する。測光制御部４２はＡＦ（オートフォーカス）処理を行う。このため、測光制御部４２は、レンズユニット３００内の撮像レンズ３１０に入射した光線を絞り３１２、レンズマウント３０６，１０６、ミラー１３０及び焦点調節用サブミラー（不図示）を介して一眼レフ方式で入射させることにより、光学像として結像された画像の合焦状態を測定する。
【００３０】
測光制御部４６は、ＡＥ（自動露出）処理を行う。このため、測光制御部４６は、レンズユニット３００内の撮像レンズ３１０に入射した光線を、絞り３１２、レンズマウント３０６，１０６、ミラー１３０及び測光用サブミラー（図示せず）を介して一眼レフ方式で入射させることにより、光学像として結像された画像の露出状態を測定する。
【００３１】
また、測光制御部４６は、測光制御部４２による測定結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００３２】
システム制御部５０はカメラ本体１００全体を制御するものであり、周知のＣＰＵ等で構成される。不揮発性メモリ５６はシステム制御部５０のＣＰＵが実行するプログラム等を記憶する。システム制御部５０は、不揮発性メモリ５６から読み出したプログラムに基づいて、撮像装置内の各部の制御や演算処理、記録媒体２００へのデータの記録のための記録制御処理等を実行する。
【００３３】
表示部５４はシステム制御部５０でのプログラムの実行に応じて、文字、画像、音声などを用いて動作状態やメッセージなどを外部に通知するための通知部として機能する。表示部５４としては、例えばＬＣＤやＬＥＤなどによる視覚的な表示だけでなく、音声による通知を行う発音素子などを有しても良い。また、表示部５４は、カメラ本体１００の操作部７０近辺の、視認しやすい、単数あるいは複数領域に設置される。また、表示部５４は、その一部の機能が光学ファインダー１０４内に設置されている。
【００３４】
表示部５４の表示内容の内、ＬＣＤなどの画像表示部に表示するものとしては以下のものがある。まず、単写／連写撮影表示、セルフタイマー表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他に、マクロ撮影表示、ブザー設定表示、電池残量表示、エラー表示、複数桁の数字による情報表示、記録媒体２００の着脱状態表示がある。更に、レンズユニット３００の着脱状態表示、通信Ｉ／Ｆ動作表示、日付・時刻表示、外部コンピュータとの接続状態を示す表示等も行われる。
【００３５】
また、表示部５４の表示内容のうち、光学ファインダー１０４内に表示するものとしては、例えば、以下のものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等である。
【００３６】
不揮発性メモリ５６は後述するプログラムなどが格納された電気的に消去・記録可能な記憶媒体であり、例えばＥＥＰＲＯＭ等が用いられる。
【００３７】
参照符号６０，６２，６４，７０は、システム制御部５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００３８】
モードダイアルスイッチ６０は、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００３９】
シャッタースイッチ６２（ＳＷ１）は、不図示のシャッターボタンの操作途中（例えば半押し）でＯＮとなり、ＡＦ処理、ＡＥ処理、ＡＷＢ処理、ＥＦ処理等の動作開始を指示するスイッチとして機能する。
【００４０】
シャッタースイッチ６４（ＳＷ２）は、不図示のシャッターボタンの操作完了（例えば全押し）でＯＮとなり、露光処理、現像処理、及び記録処理からなる一連の処理の動作開始を指示するスイッチとして機能する。まず、露光処理では、撮像素子１４から読み出した信号が、Ａ／Ｄ変換器１６、メモリ制御回路２２を介して画像データとしてメモリ３０に書き込まれる。更に、この画像データは、画像処理回路２０やメモリ制御回路２２での演算を用いた現像処理が行われる。更に、記録処理では、メモリ３０から画像データを読み出し、圧縮・伸張回路３２で圧縮を行い、記録媒体２００に書き込む。
【００４１】
操作部７０は各種ボタンやタッチパネルなどから構成される。一例として、ライブビュー開始／停止ボタン、動画記録開始／停止ボタン、メニューボタン、セットボタン、マルチ画面再生改ページボタン、フラッシュ設定ボタン、単写／連写／セルフタイマー切り替えボタン、メニュー移動＋／−ボタンを含む。更に、再生画像移動＋（プラス）ボタン、再生画像移動−（マイナス）ボタン、撮影画質選択ボタン、露出補正ボタン、調光補正ボタン、外部フラッシュ発光量設定ボタン、日付／時間設定ボタンなども含む。なお、上記プラスボタン及びマイナスボタンの各機能は、回転ダイアルスイッチを備えることによって、より軽快に数値や機能を選択することが可能となる。
【００４２】
また、操作部７０には、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチなどがある。ワンショットＡＦモードでは、シャッタースイッチ６２（ＳＷ１）を押した際にオートフォーカス動作を開始し、一旦合焦した場合、その合焦状態を保ち続ける。サーボＡＦモードでは、シャッタースイッチ６２（ＳＷ１）を押している間、連続してオートフォーカス動作を続ける。
【００４３】
電源制御部８０は、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００４４】
参照符号８２，８４はコネクタ、参照符号８６はアルカリ電池やリチウム電池等の一次電池、ＮｉＣｄ電池やＮｉＭＨ電池、Ｌｉ‐ｉｏｎ電池、Ｌｉポリマー電池等の二次電池、ＡＣアダプター等からなる電源部である。
【００４５】
参照符号９０はメモリカードやハードディスク等の記録媒体やＰＣとのインターフェース、参照符号９２はメモリカードやハードディスク等の記録媒体やＰＣと接続を行うコネクタである。参照符号９８はコネクタ９２に記録媒体２００が装着されているか否かを検知する記録媒体着脱検知回路である。インターフェース及びコネクタとしては、種々の記憶媒体の規格に準拠したものを用いて構成することが可能である。例えば、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（コンパクトフラッシュ（登録商標））カード、ＳＤカード等である。インターフェース９０、そしてコネクタ９２をＰＣＭＣＩＡカードやＣＦカード等の規格に準拠したものを用いて構成した場合、各種通信カードを接続することができる。通信カードとしては、ＬＡＮカードやモデムカード、ＵＳＢ（Ｕｎｉｖｅｒｓａｌ  Ｓｅｒｉａｌ  Ｂｕｓ）カード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４カードがある。他にも、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ等がある。これら各種通信カードを接続することにより、他のコンピュータやプリンタ等の周辺機器との間で画像データや画像データに付属した管理情報を転送し合うことができる。
【００４６】
光学ファインダー１０４は、撮像レンズ３１０に入射した光線を、一眼レフ方式によって、絞り３１２、レンズマウント３０６，１０６、ミラー１３０，１３２を介して導き、ユーザに光学像として視覚させる。これにより、画像表示部２８による電子ファインダー機能を使用すること無しに、光学ファインダーのみを用いて撮影を行うことが可能である。また、光学ファインダー１０４内には、表示部５４の一部の機能、例えば、合焦状態、手振れ警告、フラッシュ充電、シャッター速度、絞り値、露出補正などが表示される。
【００４７】
インターフェース１２０は、レンズマウント１０６内でカメラ本体１００をレンズユニット３００との電気的な接続を行うためのインターフェースである。コネクタ１２２は、カメラ本体１００とレンズユニット３００との電気的接続を行う。また、レンズマウント１０６及びコネクタ１２２にレンズユニット３００が装着されているか否かは、不図示のレンズ着脱検知部により検知される。コネクタ１２２はカメラ本体１００とレンズユニット３００との間で制御信号、状態信号、データ信号などを伝え合うと共に、各種電圧の電流を供給する機能も備えている。また、コネクタ１２２は電気通信だけでなく、光通信、音声通信により通信を行う構成としてもよい。
【００４８】
記録媒体２００は、本実施形態ではメモリカードであり、半導体メモリから構成される記録部２０２、カメラ本体１００とのインターフェース部２０４、カメラ本体１００と接続を行うコネクタ２０６を備えている。
【００４９】
以上、実施形態におけるカメラ本体１００とレンズユニット３００からなる撮像装置の構成を説明した。
【００５０】
＜記録媒体２００について＞
本実施形態では、記録媒体２００として、ＳＤ  Ｃａｒｄ  ＡｓｓｏｃｉａｔｉｏｎによるＳＤ規格に準拠したメモリカード（ＳＤカード）を用いるものとする。そして、ＳＤ規格におけるスピードクラス仕様に従った書き込み方法（スピードクラス書き込み）で記録される。スピードクラス仕様は、記録媒体に連続してデータを記録する際の最低速度を保証する仕様である。
【００５１】
スピードクラス書き込みでは、記録領域（Ｕｓｅｒ  Ａｒｅａ）をＡＵ（Ａｌｌｏｃａｔｉｏｎ  Ｕｎｉｔ）単位で管理する。１つのＡＵは、ＲＵ（Ｒｅｃｏｒｄｉｎｇ  Ｕｎｉｔ）を複数含む。ＲＵのサイズは、カードの種類（ＳＤＳＣ、ＳＤＨＣ、ＳＤＸＣ）やスピードクラスの種類によって異なるが、現在の規格では１６ＫＢの倍数で、最大５１２ＫＢである。ＲＵは記録媒体のクラスタ（最小管理単位）の整数倍の大きさを有する。スピードクラス書き込みは、データが記録されていない空のＡＵ（データが記録されたＲＵを有しないＡＵ）だけに行われる。一方、データが記録されたＲＵを有するＡＵは、断片化ＡＵ（ｆｒａｇｍｅｎｔｅｄ  ＡＵ）と呼ばれる。
【００５２】
なお、本実施形態は、記録領域の管理単位が異なる書き込み方法をサポートする他の規格の記録媒体を用いる記録装置にも適用可能である。このような記録媒体の一例を挙げれば、ＣＦカードがある。ＣＦカードでは、最低記録速度を保証する書き込み方法として、ＶＰＧ  （Ｖｉｄｅｏ  Ｐｅｒｆｏｒｍａｎｃｅ  Ｇｕａｒａｎｔｅｅ）が定められている。
【００５３】
以下、図２〜図４を参照して、本実施形態の撮像装置の動作を説明する。
【００５４】
＜記録媒体２００のスピードクラス書き込みについて＞
まず、図２について説明する。図２（ａ）、（ｂ）はそれぞれ記録媒体２００内の記録部２０２のＡＵとＲＵの概念を含めた論理アドレスマップを模式的に示している。ＲＵの数やＡＵの数については記録媒体ごとに異なるが、本実施形態の記録媒体２００内の記録部２０２には、０番（ＲＵ＿０）〜１３１０７１（ＲＵ＿１３１０７１）番までの１３１０７２個のＲＵが含まれているものとする。そして、１つのＡＵ内に８つのＲＵが含まれており、０番（ＡＵ＿０）〜１６３８３番（ＡＵ＿１６３８３）までの１６３８４個のＡＵが含まれているものとする。
【００５５】
ＡＵ＿０（ＲＵ＿０〜ＲＵ＿７）は、管理領域として使用され、システム情報が記録される。ここではシステム情報の例としてＭＢＲ（Ｍａｓｔｅｒ  Ｂｏｏｔ  Ｒｅｃｏｒｄ）、ＢＰＢ（ＢＩＯＳ  Ｐａｒａｍｅｔｅｒ  Ｂｌｏｃｋ）、ＦＡＴ（Ｆｉｌｅ  Ａｌｌｏｃａｔｉｏｎ  Ｔａｂｌｅ）、ＤＥ（Ｄｉｒｅｃｔｏｒｙ  Ｅｎｔｒｙ）を示している。しかし、これらに限定されない。なお、ここで例示したシステム情報は公知であるため、その詳細についての説明は省略する。そして、ＡＵ＿１〜ＡＵ＿１６３８３（ＲＵ＿８〜ＲＵ＿１３１０７１）には、データを記録するためのデータ記録領域として使用される。
【００５６】
図２（ａ）、（ｂ）を参照し、従来のスピードクラス書き込み時のＡＵ中ＲＵの使用方法と、一般的なビデオスピードクラス（以下、ＶＳＣと言う）の使用方法であるシングルストリーム書き込みの違いを説明する。
【００５７】
まず図２（ａ）の従来のスピードクラス時のＲＵ使用シーケンスについて説明する。まず、すべてのＲＵに論理的にデータが入っていない空のＡＵが探索される。これは前述の通り記録媒体のＡＵの特性上、フルで空いているＡＵにデータを書き込むことで記録媒体の性能を最大限に引き出し、高速に書き込むためである。次に探索した空のＡＵに対して、ＲＵ単位でライト命令を発行し、ＲＵのサイズ単位でデータを書き込んでいく。そしてデータ書き込み中のＡＵにおいて、全てのＲＵがデータ書き込み済みになったら、次のフルで空いているＡＵを探索し、また同じようにＲＵ単位でデータを書き込んでいく。これを繰り返しながら記録を順次行っていき、１番目のファイル（ＤＡＴＡ１）の書き込みを終了する。データ書き込みの終了時には、特別なコマンドの発行等はせずに終了する。次に２つ目のファイル（ＤＡＴＡ２）を書き込むときには、再度１つ目のファイルを書き込んだ際の制御と同じように、フルで空いているＡＵを探索し、探索した空のＡＵに対してＲＵ単位でデータを書き込んでいく。この時、１つ目のファイルのデータ（ＤＡＴＡ１）の終了位置がＡＵ単位（ＡＵ内の最後のＲＵ）で終了する場合は問題ない。それに対し、ＡＵ単位で終了しない、つまりＡＵ内の最後のＲＵでなく途中のＲＵでデータの書き込みが終了した場合、そのＡＵの中のデータが書き込まれていない残りのＲＵ（残ＲＵ）が発生する。このＡＵ中の残ＲＵは従来のスピードクラス領域としては利用できない領域となり。２つ目のファイルの書き込み時には利用できない。
【００５８】
次に、図２（ｂ）を参照して、ＶＳＣシングルストリームでの書き込み時のＲＵ使用方法について説明する。まず１つ目のファイル（ＤＡＴＡ１）については、従来のスピードクラスと同様に、フルに空いているＡＵを探索し、空のＡＵにＲＵ単位でデータを書き込んでいく。但し、ＲＵ単位でデータを書き込む前に、Ｓｅｔ  Ｆｒｅｅ  ＡＵコマンドを発行して、使用予定の空のＡＵをあらかじめ記録媒体に宣言をする。このＳｅｔ  Ｆｒｅｅ  ＡＵでは、予め複数のＡＵを指定しておく。Ｓｅｔ  Ｆｒｅｅ  ＡＵでは、予め８つまでＡＵを指定することが可能である。ＶＳＣでは、このＳｅｔ  Ｆｒｅｅ  ＡＵで指定したＡＵ以外の場所にデータを書き込むと、ＶＳＣとしての制約に対して違反をしたことになり、スピード保証がされなくなってしまう。
【００５９】
Ｓｅｔ  Ｆｒｅｅ  ＡＵで使用予定の空のＡＵを予め宣言することで、記録媒体にとって、たとえその場所に前のデータが存在したとしてもそれを無効にして連続書きを行うモードにスイッチングできる。記録媒体のフラグメンテーションによるガーベッジコレクションを防ぐという意味でメリットを享受できる。ただし、Ｓｅｔ  Ｆｒｅｅ  ＡＵコマンドでは予め８つのＡＵしか指定できないため、これ以上のＡＵを使用する場合には、再びＳｅｔ  Ｆｒｅｅ  ＡＵコマンドを発行しなければならなくなる。Ｓｅｔ  Ｆｒｅｅ  ＡＵは、最大２５０ｍｓのコマンドオーバーヘッドが発生し、その間記録装置が記録媒体へのアクセスができないというデメリットも存在する。
【００６０】
ＶＳＣのシングルストリームではＳｅｔ  Ｆｒｅｅ  ＡＵと、ＲＵ単位のライト命令とを組み合わせながら、記録媒体へアクセス、データを書き込んでいく。従来のスピードクラスとは、１つ目以降のファイル（ＤＡＴＡ１）の書き込みの終了時と、次の２つ目以降のファイル（ＤＡＴＡ２）の書き込み開始時の制御が大きく異なる。具体的には、１つ目以降のファイルの記録終了時にＳｕｓｐｅｎｄ  ＡＵコマンドを発行し、２つ目以降のファイルの記録開始時にＲｅｓｕｍｅ  ＡＵコマンドを発行する。Ｓｕｓｐｅｎｄ  ＡＵコマンドは、直前にライト命令によりデータを書き込んだデータ記録済みのＲＵの次の空のＲＵの位置の情報を記録媒体に保存するコマンドである。つまり、次にデータを書き込むべき、次の空のＲＵの位置を記録媒体に保存することになる。Ｒｅｓｕｍｅ  ＡＵは、ビデオスピードクラスにおいて、ＡＵの開始位置ではなく、Ｓｕｓｐｅｎｄ  ＡＵコマンドにより記録媒体に保存したＲＵの位置、つまり、ＡＵの途中のＲＵ位置から記録を開始するためのコマンドである。ＲＵ位置の情報は記録媒体に保存をするので、記録媒体の電源をＯＦＦ、ＯＮしても保持される情報である。また、ＡＣＭＤ１３というコマンドを使用することにより、撮像装置は、記録媒体に保持されているＲＵ位置の情報を記録媒体から取得することができる。
【００６１】
例えば、図２（ｂ）において、ＤＡＴＡ１の書き込みの終了後にＳｕｓｐｅｎｄ  ＡＵコマンドを発行することにより、記録媒体２００には、ＲＵ＿１９の位置情報が保持される。そして、ＤＡＴＡ２の書き込み開始前にＲｅｓｕｍｅ  ＡＵコマンドを発行することにより、ＲＵ＿１９から書き込むことが可能となる。
【００６２】
このように、Ｓｕｓｐｅｎｄ  ＡＵコマンド、Ｒｅｓｕｍｅ  ＡＵコマンドを使用することにより、ＡＵの途中の残ＲＵからデータの書き込みを行ことができるようになる。そのため、残ＲＵを生成することなく、複数のファイルを１つのＡＵ中の連続したＲＵに記録することができるようになる。
【００６３】
次にＶＳＣのマルチストリーム書き込みの概念について説明する（詳細については、非特許文献１のＳＤＡから提供された簡易版規格書を参照されたい）。ここでは、ＶＳＣのマルチストリーム書き込みに関するコマンドつまりＵｐｄａｔｅ  Ｄｉｒ，  Ｒｅｌｅａｓｅ  Ｄｉｒ，コマンドについて詳細な説明を行う。
【００６４】
まず従来のスピードクラスの制御方法だが、生成したファイルのファイルシステム上のＤｉｒｅｃｔｏｒｙ  Ｅｎｔｒｙに対応するセクターをＵｐｄａｔｅ  Ｄｉｒというコマンドを通して記録媒体に発行し登録をする。あらかじめこれを登録することで、記録媒体にランダムアクセスが走った場合、そのランダムアクセス先が登録していたセクターの場合は特別な制御をすることで速度の低下を最小限に抑えることが目的である。その後Ｓｅｔ  Ｆｒｅｅ  ＡＵコマンドなどを実施後、記録開始コマンドであるＳｔａｒｔ  Ｒｅｃをコールし、記録媒体へのデータの記録を開始する。そしてデータ（ファイル）の記録終了時には特別なコマンドは発行しない。
【００６５】
次にビデオスピードクラスのマルチストリーム書きの制御方法について説明を行う。まず従来と同じように生成したファイルのＤｉｒｅｃｔｏｒｙ  Ｅｎｔｒｙに対応するセクターをＵｐｄａｔｅ  Ｄｉｒにより登録する。そしてＳｅｔ  Ｆｒｅｅ  ＡＵコマンドなどを実施後、Ｓｔａｒｔ  Ｒｅｃコマンドを実施してビデオスピードクラス制御を開始する。その後新たなファイルを生成してそのファイルに対しても以前に生成したファイルと並行してビデオスピードクラスを適用したデータの記録が可能になる。但し、Ｕｐｄａｔｅ  Ｄｉｒにより登録したセクターの残容量が少なくなると、新たな画像ファイルのＤｉｒｅｃｔｏｒｙ  Ｅｎｔｒｙ情報を登録済みのセクターに追記不可能となる。追記不可能となった場合には、新たにＵｐｄａｔｅ  Ｄｉｒを発行して、Ｄｉｒｅｃｔｏｒｙ  Ｅｎｔｒｙ情報を記録するセクターを記録媒体に登録する必要がある。このＵｐｄａｔｅ  Ｄｉｒにより、ビデオスピードクラスでは同時に最大８個までセクターを登録することが可能であると規格上定められている。そして登録したセクターへのファイルのＤｉｒｅｃｔｏｒｙ  Ｅｎｔｒｙの記録が完了した後に、Ｕｐｄａｔｅ  Ｄｉｒの対のコマンドであるＲｅｌｅａｓｅ  Ｄｉｒを発行して登録したセクターの設定を解除する。Ｒｅｌｅａｓｅ  Ｄｉｒの発行回数がＵｐｄａｔｅ  Ｄｉｒを発行した回数と同等になった場合、ビデオスピードクラスは自動的に終了する。
【００６６】
またビデオスピードクラスのマルチストリーム書き込みにはコマンド発行の制約だけでなく、書き込む場所についての制約も存在する（非特許文献１を参照されたい）。マルチストリーム書き込みはファイル毎にスピードクラス保障するのではなく、複数のファイルが最低スピード保証に対してタイムシェアリングを行うため、書き込む先は連続領域である必要がある。例えば、５１２ＭＢのＡＵに対して、ファイル１が６４ＭＢのデータを書き込んだ場合、ファイル２は次のＡＵに書き込むのではなくファイル１が書き込んだ５１２ＭＢ中の６４ＭＢ以降の場所に連続的に書き込みを行わなければならないということである。この制約を満たさない場合ビデオスピードクラス保障がされなく、ビデオスピードクラスが解除され、再度Ｓｔａｒｔ  Ｒｅｃコマンドを発行する必要がある。
【００６７】
複数のファイルを同じＡＵに対して記録をしてしまうと、片方を消去した場合、非スピードクラスの空き容量としては消去した分増量するが、フルで空いているＡＵを欲するスピードクラスの空き容量としては増量しないという弊害も生じてしまう。
【００６８】
このように、従来のスピードクラスとビデオスピードクラスではＲＵ使用方法、ファイル制御方法について異なる制御をすることにより、ビデオスピードクラスでは最低スピード保証が３倍になる。そして、さらに空き容量をより有効に使うこと、マルチストリーム書き込みが新たに可能になる。但しこれらを実現するための制約として従来に比べてコマンドを多く発行しなければならない。コマンドを発行することでオーバーヘッドがかかり全体に対して負荷がかかってしまう。従ってコマンドの発行回数を最小限にすることが重要となる。
【００６９】
本実施形態では、かかる点を実現するものである。
【００７０】
＜複数ファイルの連続記録＞
図３（ａ）は、複数の画像ファイルを記録する際に、マルチストリーム書きを応用した本実施形態での記録処理を示している。図３（ｂ）は、ビデオスピードクラスでＳｕｓｐｅｎｄ  ＡＵとＲｅｓｕｍｅ  ＡＵのコマンドを用いた記録処理を適用した形態を示している。図３（ｃ）は、従来のスピードクラスでの記録処理を適用した形態である。
【００７１】
図３（ａ）の最大の目的は、マルチストリーム書き込み時は連続領域に書き込まなければならないという制約を逆手に取り、各ファイル終了時のＳｕｓｐｅｎｄ  ＡＵとＲｅｓｕｍｅ  ＡＵさらにはＳｔａｒｔ  Ｒｅｃの発行回数を最小限にすることである。最初の画像ファイル（ＪＰＧ１）を記録する前に、ダミーファイルを生成することにより、マルチストリーム書き込みを実現している。
【００７２】
動画と違い静止画の記録は１枚１枚の画像が単発で終了する特性を持っている。この特性をそのままビデオスピードクラス、従来のスピードクラスに適用すると、それぞれ図３（ｂ）、図３（ｃ）のような制御になってしまう。
【００７３】
図３（ｂ）では、各ファイル間にコマンドＳｕｓｐｅｎｄ  ＡＵ，  Ｒｅｓｕｍｅ  ＡＵ，  Ｓｔａｒｔ  Ｒｅｃを挟まなければならず最大合計２秒の遅延を招いてしまう。これが画像間で行われてしまいバースト性能が大幅に低下してしまう。
【００７４】
図３（ｃ）では、同じようにＳｔａｒｔ  Ｒｅｃは発行する必要があるが、Ｓｕｓｐｅｎｄ  ＡＵ，  Ｒｅｓｕｍｅ  ＡＵについてはコマンド自体発行する必要がない。その代わりに、各ファイル間に空き領域が発生し、無駄な領域が発生してしまう。図３（ａ）、（ｂ）のように、本来ならＪＰＧファイルが４枚記録できる領域を確保しているのにも関わらず、３枚しか記録できていないということを示している。
【００７５】
このように図３（ｂ）、（ｃ）の方法では、それぞれコマンドオーバーヘッド、空き容量という問題を伴ってしまう。そこで、これらの問題を解決する、本実施形態における記録法を図３（ａ）を参照して説明する。
【００７６】
まず、１枚目の画像を記録する前の現像段階で、マルチストリーム書きの下地として、画像を記録するフォルタと同じフォルダに、特に何もデータを記録しないダミーファイル（Ｄｕｍｍｙ  Ｆｉｌｅ）を生成する。次にビデオスピードクラスに入るためのコマンドであるＳｅｔ  Ｆｒｅｅ  ＡＵ、Ｓｔａｒｔ  Ｒｅｃを記録媒体に通知する。このようにすることで現像処理や圧縮処理等の記録データの準備と、記録媒体自体の準備つまりコマンドオーバーヘッドとを並列で行うことができるようになる。
【００７７】
次に現像完了し、圧縮伸長回路３２により生成されたＪＰＧデータの書き込みを行う。この時、処理開始時にＵｐｄａｔｅ  ＤｉｒとＲｅｌｅａｓｅ  Ｄｉｒの発行する必要があるが、Ｓｕｓｐｅｎｄ  ＡＵやＲｅｓｕｍｅ  ＡＵの発行は実施しなくてよい。なぜならば最初に登録したダミーファイルが存在していることによりＪＰＧデータ書き込みが終了してもビデオスピードクラスは終了しないで継続されるためである。
【００７８】
連続撮影における次のＪＰＧデータを記録媒体に書き込むときには、ビデオスピードクラスのマルチストリーム状態が継続しているので、前のＪＰＧデータに連続する領域に次のＪＰＧデータを記録することができ、空き容量を無駄にすることがない。
【００７９】
つまり、複数のファイルを書き込む前に、あらかじめダミーファイルを生成し、ビデオスピードクラス用として登録するだけで、空き容量の節約と処理スピード高速化の両立が可能になる。
【００８０】
＜撮像装置の連写撮影の記録処理のフロー＞
次に、撮像装置における、連写撮影における記録処理のシーケンスを、図４のフローチャートを参照して説明する。なお、このフローチャートに対応するプログラムは不揮発性メモリ５６に格納されており、システム制御部５０は、不揮発性メモリ５６からこのプログラムを読み出し、読み出したプログラムに基づく処理を行うことにより、フローチャートの処理が実行される。このフローチャートは、連写撮影モードにおいて、シャッターボタンへの操作により連写撮影開始の指示が入力されたことを、システム制御部５０が検出したことにより開始される。また、連写撮影の処理が開始されると、撮像素子１４による画像の撮像、画像処理回路２０による撮像で得られた画像データの画像処理、圧縮伸長回路３２による画像データの圧縮処理が行われる。これらの処理により、連写撮影により撮影して得られた複数の画像について、画像毎に画像ファイルが生成されて、メモリ３０に一時記憶される。これらの処理は、図４のフローと並行して実行される。図４のフローは、メモリ３０に一時記録された連写撮影により得られた複数の画像ファイルを、記録媒体２００に記録するための処理である。
【００８１】
まず、Ｓ４０１において、システム制御部５０は、ダミーファイルを生成し、メモリ５２に一時記憶する。このダミーファイルの生成については、実際にファイルを生成するのではなく、ダミーファイルのディレクトリエントリ情報をのみを生成する。次に、Ｓ４０２において、システム制御部５０は、インターフェース９０を介して、Ｕｐｄａｔｅ  Ｄｉｒコマンドを記録媒体２００に発行し、ダミーファイルのディレクトリエントリ情報を記録するセクターを、記録媒体２００に登録する。そして、Ｓ４０３において、システム制御部５０は、ＣＭＤ２５を用いて、Ｓ４０２でＵｐｄａｔｅ  Ｄｉｒにより登録したセクターに、Ｓ４０１で生成したダミーファイルのディレクトリエントリ情報を記録するための記録命令を記録媒体２００に発行する。これにより、記録媒体２００にダミーファイル（実際には、ディレクトリエントリの情報のみ）が生成される。このように、本実施形態では、連写撮影により得られる複数の画像ファイルを記録媒体２００に記録開始する前に、ダミーファイル（実際には、ダミーファイルのディレクトリエントリ情報）を記録媒体２００に記録する処理を実行する。
【００８２】
ダミーファイルの処理が完了したら、Ｓ４０４において、システム制御部５０は、記録媒体２００に、Ｓｅｔ  Ｆｒｅｅ  ＡＵコマンドを発行する。Ｓｅｔ  Ｆｒｅｅ  ＡＵコマンドの発行により、記録媒体のどこのＡＵに書き込むのかをあらかじめ宣言することができ、記録媒体２００はその受け入れ準備をすることができる。前にＳｕｓｐｅｎｄ  ＡＵコマンドを発行しており、次に記録が再開されるＲＵの位置が、記録媒体２００に登録されている場合、Ｓｅｔ  Ｆｒｅｅ  ＡＵの代わりに  Ｒｅｓｕｍｅ  ＡＵコマンドを発行することも可能である。前にＳｕｓｐｅｎｄ  ＡＵコマンドを発行しており、記録媒体に記録されているＲＵ位置があった場合、記録媒体２００に登録されているＲＵの位置から記録が再開される。次にＳ４０５にて、システム制御部５０は、Ｓｔａｒｔ  Ｒｅｃコマンドを記録媒体２００に発行する。Ｓｔａｒｔ  Ｒｅｃコマンドにより記録媒体２００はビデオスピードクラスモードに移行できる。ここまでの処理は、連写撮影で得た画像ファイルを記録媒体２００に記録する前に実行される処理である。連写撮影開始の指示から、１枚目の画像の画像ファイルの生成が完了までには、画像処理や圧縮処理等により時間がかかるため、連写撮影開始の指示が行われてから実行しても、画像ファイルの記録の遅延にはほとんど影響しない。また、本実施形態では、ダミーファイルの生成処理（Ｓ４０１〜Ｓ４０３）を行ってから、ビデオスピードクラスでの制御を開始するためのコマンドの発行（Ｓ４０４、Ｓ４０５）を行った。しかし、ビデオスピードクラスでの制御を開始するためのコマンドの発行を行ってから、ダミーファイルの生成処理（Ｓ４０１〜Ｓ４０３）を行ってもよい。
【００８３】
次に、Ｓ４０６において、システム制御部５０は、処理対象の画像ファイルを１枚目の画像ファイルとするため、変数Ｎに１を設定して初期化する。その後、Ｓ４０７において、システム制御部５０は、記録媒体２００にＵｐｄａｔｅ  Ｄｉｒコマンドを発行する。ここでは、Ｕｐｄａｔｅ  Ｄｉｒコマンドにより、連写撮影で得られた画像を格納する画像ファイルのディレクトリエントリ情報を記録するセクターを記録媒体２００に登録する。
【００８４】
Ｓ４０８において、システム制御部５０は、メモリ３０に一時記憶されている第Ｎ番目の画像ファイルについて、ディレクトリエントリ情報を生成し、生成したディレクトリエントリ情報を、メモリ３０に一時保持する。ディレクトリエントリ情報の記録は、ＣＭＤ２５を使用した、Ｕｐｄａｔｅ  Ｄｉｒで登録したセクターへの記録となり、頻繁に行うと処理速度が遅くなってしまう。そのため、画像ファイル毎に記録せずに、Ｕｐｄａｔｅ  Ｄｉｒで登録した１つのセクターに記録可能なサイズ分に達するまで、メモリ３０に一時保持しておく。
【００８５】
次に、Ｓ４０９では、システム制御部５０は、メモリ３０に記憶されている第Ｎ番目の画像ファイルを、ＲＵサイズ毎に読み出し、順次、記録媒体２００の連続するＲＵに記録していく。第Ｎ番目の画像ファイルの記録が完了すると、Ｓ４１０では、システム制御部５０は、連写撮影により得られた複数の画像ファイル全てについて、記録媒体２００への記録が完了したかを判断する。完了したと判定された場合はＳ４１５に進み、完了していないと判定された場合はＳ４１１に進む。Ｓ４１１において、システム制御部５０は、次の画像ファイルに対する処理を開始するため、変数Ｎに１を追加し、処理対象の画像を次の画像とする。次に、Ｓ４１２において、システム制御部５０は、Ｕｐｄａｔｅ  Ｄｉｒで登録したセクターへ記録可能なデータのサイズと、メモリ３０に一時保持しているディレクトリエントリの情報のサイズとを比較する。そして、次の第Ｎ番目の画像ファイルの画像ファイルのディレクトリエントリの情報をさらに追記するだけのサイズが残っているかを判定する。追記可能なサイズが残っていないと判定された場合、Ｓ４１３に進み、メモリ３０に一時記憶されている複数の画像ファイルのディレクトリエントリの情報の一括記録処理を行う。追記可能なサイズが残っていると判定された場合、ディレクトリエントリの情報の記録は行わずにＳ４０８に戻り、次のＮ番目の画像ファイルのための処理を開始し、Ｓ４０８以降の処理を繰り返す。
【００８６】
Ｓ４１３において、システム制御部５０は、ＣＭＤ２５を用いて、メモリ３０に保持されている複数の画像ファイルのディレクトリエントリの情報を記録媒体２００のＳ４０７で登録したセクターに記録する。次に、Ｓ４１４において、システム制御部５０は、Ｓ４０７で登録し、ディレクトリエントリ情報を記録済みのセクターの登録を削除するためのＲｅｌｅａｓｅ  Ｄｉｒを記憶媒体２００に発行する。その後、システム制御部５０は、Ｓ４０７の処理に戻り、Ｓ４０７において次にディレクトリエントリ情報を記録するセクターの登録を行い、Ｓ４０８からの次のＮ番目の画像ファイルのための処理を開始する。
【００８７】
このように、システム制御部５０は、連写撮影で得られた全ての画像ファイルの記録が終わるまでＳ４０７〜Ｓ４１４の処理を繰り返し実行する。
【００８８】
Ｓ４１０で連写撮影で得られた全ての画像ファイルの記録が完了したと判定されると、Ｓ４１５の処理が実行される。Ｓ４１５において、システム制御部５０は、Ｓ４１３と同様に、ＣＭＤ２５を用いて、メモリ３０に保持されているディレクトリエントリの情報を、記録媒体２００の登録セクターに記録する。その後、Ｓ４１６において、システム制御部５０は、Ｓ４１４と同様に、Ｓ４０７で登録したセクターの登録を解除するためのＲｅｌｅａｓｅ  Ｄｉｒコマンドを記録媒体２００に発行する。
【００８９】
その後、Ｓ４１７において、システム制御部５０は、Ｓ４０３で記録媒体２００に記録したダミーファイルのディレクトリエントリ情報を、記録媒体２００から削除する。そして、Ｓ４１８において、システム制御部５０は、Ｓ４０２でダミーファイル用として登録したセクターの登録を解除するためのＲｅｌｅａｓｅ  Ｄｉｒコマンドを発行する。そして最後に、Ｓ４１９において、システム制御部５０は、Ｓｕｓｐｅｎｄ  ＡＵコマンドを記録媒体２００に発行し、次に記録開始すべきＲＵの位置を記録媒体２００に登録し、このコマンドの発行により、ビデオスピードモードを終了する。
【００９０】
以上により、記録媒体の性能を最大限に引き出すような制御方法をとることができる。つまり、ビデオスピードクラスにおいて複数の画像ファイルを連続した領域に記録可能とするためのコマンド発行回数を最小限に抑制し、さらに記録媒体の無駄になる領域を最小限にする、というバランスのとれた記録方法を提供することが可能になる。
【００９１】
なお、図４のフローチャートでは、連写した得た複数の静止画像ファイルを連続的に記録する例について説明したが、複数の動画像ファイルを連続的に記録する場合であっても同じである。
【００９２】
また、上述の実施形態では、画像ファイルの記録開始前に、ダミーファイルの生成処理として、ダミーファイルのディレクトリエントリ情報を記録媒体２００に記録するものとした。しかし、ダミーファイルのディレクトリエントリ情報を記録せずに、ダミー用のＵｐｄａｔｅ  Ｄｉｒコマンドを発行し、使用しないセクターを予め登録するようにしてもよい。或いは、ダミーファイルの生成処理や、ダミー用のセクターのＵｐｄａｔｅ  Ｄｉｒコマンドによる登録を行わずに、画像ファイル用としてＵｐｄａｔｅ  Ｄｉｒコマンドにより登録したセクターの登録の解除を行わないようにすることもできる。このような処理により、ビデオスピードクラスが継続されるようにしてもよい。Ｕｐｄａｔｅ  Ｄｉｒコマンドにより登録したセクターについて、少なくとも１つのセクターの登録を解除しないようにすることにより、Ｓｕｓｐｅｎｄ  ＡＵ、Ｒｅｓｕｍｅ  ＡＵコマンドを使用せずに、ビデオスピードクラスでの連続した記録領域（ＲＵ）への記録処理を継続することができる。
【００９３】
また、上述の実施形態では、Ｕｐｄａｔｅ  Ｄｉｒコマンドにより登録したセクターの登録の解除を、そのセクターへのディレクトリエントリ情報の記録が完了した時点で行った。しかし、登録セクターへの情報の記録の完了時に行わずに、全画像ファイルの記録が完了したタイミングで、複数の登録セクターの登録を解除するようにしてもよい。
【００９４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2020036186.tif 000003
【図２】
2020036186.tif 000004
【図３】
2020036186.tif 000005
【図４】
2020036186.tif 000006